(57)【要約】【課題】ユーザが画像データの送信先を指定する際に、ネットワークに接続された複数のコンピュータの中からユーザが利用しているコンピュータを、事前登録なしに容易に指定することが可能な画像読取装置を提供する。【解決手段】ＭＦＰ１は、コンピュータからアクセスを受け付けるネットワークＩ／Ｆ１６と、アクセスが受け付けられたコンピュータのＩＰアドレスを記憶する記憶部２３と、ＬＡＮ９０を介して接続された複数のコンピュータのリストを取得するリスト取得部２４と、取得されたリストに含まれる複数のコンピュータのうち、記憶されたＩＰアドレスによって識別されたコンピュータを特定する特定部２５とを備え、表示部２０は、特定されたコンピュータを強調して表示する。【選択図】図２
2012156787.tif 000002
【特許請求の範囲】
【請求項１】
ネットワークを介して接続されたコンピュータからアクセスを受け付ける受付部と、
前記受付部によってアクセスが受け付けられたコンピュータの識別情報を記憶する記憶部と、
前記ネットワークを介して接続された複数のコンピュータのリストを取得する取得部と、
前記取得部によって取得されたリストに含まれる複数のコンピュータのうち、前記記憶部によって記憶された識別情報により識別されたコンピュータを特定する特定部と、
原稿を光学的に読み取って画像データを生成する読取部と、
前記読取部によって生成された画像データの送信先となるコンピュータの候補として、前記特定部によって特定されたコンピュータを強調して表示する表示部と、
前記表示部によって表示されたコンピュータの中からユーザによって指定されたコンピュータへ、前記画像データを送信する送信部と、
を備えることを特徴とする画像読取装置。
【請求項２】
前記記憶部は、前記アクセスの操作を行ったユーザのユーザ情報が取得されている場合に、該ユーザ情報と関連付けて前記アクセスが受け付けられたコンピュータの識別情報を記憶し、
前記特定部は、前記画像データの送信先となるコンピュータを指定するユーザのユーザ情報が取得されている場合、該ユーザ情報と関連付けて前記記憶部によって記憶されている識別情報によって識別されたコンピュータを特定することを特徴とする請求項１に記載の画像読取装置。
【請求項３】
前記特定部は、アクセス可能なフォルダを有するコンピュータを特定することを特徴とする請求項１又は２に記載の画像読取装置。
【請求項４】
前記受付部は、コンピュータからＷｅｂアクセスを受け付け、
前記記憶部は、前記受付部によってＷｅｂアクセスが受け付けられたコンピュータの識別情報を記憶することを特徴とする請求項１〜３のいずれか１項に記載の画像読取装置。
【請求項５】
更に、コンピュータから送信されたプリント要求に応じて印刷を実行する印刷部を備え、
前記受付部は、コンピュータからの前記アクセスとして、プリント要求を受け付け、
前記記憶部は、前記受付部によってプリント要求が受け付けられたコンピュータの識別情報を記憶することを特徴とする請求項１〜４のいずれか１項に記載の画像読取装置。
【発明の詳細な説明】
【技術分野】
【０００１】
本発明は、ネットワークを介して接続されたコンピュータへ、生成した画像データを送信する画像読取装置に関する。
【背景技術】
【０００２】
従来から、「スキャンｔｏフォルダー（登録商標）」と呼ばれる機能を有するネットワーク複合機が知られている。この機能（以下「スキャンｔｏフォルダ機能」という）は、原稿をスキャナにより読み取って画像データを生成し、ネットワークを介して接続されたコンピュータの共有フォルダへ生成した画像データを送信する機能である。下記特許文献１には、スキャンｔｏフォルダ機能を有する画像読取装置が開示されている。
【０００３】
下記特許文献１に記載の画像読取装置は、画像データの送信先となる共有フォルダをユーザに指定させるため、ネットワーク上でアクセス可能な全てのフォルダを表示する。アクセス可能なコンピュータが多数存在する場合は、ユーザが目的のフォルダを見つけるのに時間がかかる。そこで、下記特許文献１の画像読取装置は、「マイフォルダ」機能を有している。マイフォルダ機能は、ユーザが、画像データの送信先として自分が利用しているコンピュータをユーザ名と関連付けて予め画像読取装置に登録し、スキャンｔｏフォルダ機能を利用する際に、ユーザ名を入力して、登録されたコンピュータを表示させる機能である。
【先行技術文献】
【特許文献】
【０００４】
【特許文献１】特開２００７−３０６３８３号公報
【発明の概要】
【発明が解決しようとする課題】
【０００５】
上記特許文献１の画像読取装置によれば、マイフォルダ機能により、ユーザは画像データの送信先として自分が利用しているコンピュータを容易に指定することが可能となる。しかしながら、マイフォルダ機能は事前の登録が必要であるため、事前に登録を行っていないユーザは、当然ながらネットワークに接続された多数のコンピュータの中から自分のコンピュータを見つけ出す必要がある。
【０００６】
そこで本発明は、上記問題点を解消するためになされたものであり、ユーザが画像データの送信先を指定する際に、ネットワークに接続された複数のコンピュータの中からユーザが利用しているコンピュータを、事前登録なしに容易に指定することが可能な画像読取装置を提供することを目的とする。
【課題を解決するための手段】
【０００７】
本発明に係る画像読取装置は、ネットワークを介して接続されたコンピュータからアクセスを受け付ける受付部と、受付部によってアクセスが受け付けられたコンピュータの識別情報を記憶する記憶部と、ネットワークを介して接続された複数のコンピュータのリストを取得する取得部と、取得部によって取得されたリストに含まれる複数のコンピュータのうち、記憶部によって記憶された識別情報により識別されたコンピュータを特定する特定部と、原稿を光学的に読み取って画像データを生成する読取部と、読取部によって生成された画像データの送信先となるコンピュータの候補として、特定部によって特定されたコンピュータを強調して表示する表示部と、表示部によって表示されたコンピュータの中からユーザによって指定されたコンピュータへ、画像データを送信する送信部とを備えることを特徴とする。
【０００８】
本発明に係る画像読取装置によれば、ネットワークを介してコンピュータからアクセスが受け付けられた場合、アクセスしたコンピュータの識別情報が記憶される。これにより、ネットワークを介して接続された複数のコンピュータのうち、実際に自機を利用しているユーザのコンピュータを自動的に記憶することができる。そして、画像データの送信先となるコンピュータの候補が表示される際には、ネットワークに接続された複数のコンピュータのうち、記憶された識別情報により識別されるコンピュータが強調して表示される。これにより、ユーザは、自分の利用しているコンピュータから画像読取装置にアクセスすれば、自分のコンピュータが自動的に記憶され、画像データの送信先を指定する際には、自分のコンピュータが強調して表示される。従って、ユーザが画像データの送信先を指定する際に、ネットワークに接続された複数のコンピュータの中からユーザが利用しているコンピュータを、事前登録なしに容易に指定することが可能となる。
【０００９】
本発明に係る画像読取装置では、記憶部は、アクセスの操作を行ったユーザのユーザ情報が取得されている場合に、該ユーザ情報と関連付けてアクセスが受け付けられたコンピュータの識別情報を記憶し、特定部は、画像データの送信先となるコンピュータを指定するユーザのユーザ情報が取得されている場合、該ユーザ情報と関連付けて記憶部によって記憶されている識別情報によって識別されたコンピュータを特定することが好ましい。
【００１０】
この構成によれば、アクセスの操作を行ったユーザのユーザ情報が取得されている場合、このユーザ情報が、アクセスが受け付けられたコンピュータの識別情報と関連付けて記憶される。そして、画像データの送信先となるコンピュータの候補が表示される際、コンピュータを指定するユーザのユーザ情報が取得されている場合、そのユーザ情報と関連付けて記憶された識別情報によって識別されるコンピュータが特定される。続いて、特定されたコンピュータが、強調して表示される。この場合、コンピュータを指定するユーザのコンピュータのみが強調して表示されるので、より容易に指定することが可能となる。
【００１１】
本発明に係る画像読取装置では、特定部が、アクセス可能なフォルダを有するコンピュータを特定することが好ましい。
【００１２】
この構成によれば、ネットワークに接続された複数のコンピュータのうち、記憶された識別情報により識別されたコンピュータであって、アクセス可能なフォルダを有するコンピュータが特定され、特定されたコンピュータが強調して表示される。自機にアクセスしたコンピュータであっても、外部からアクセス可能なフォルダを有していなければ、画像データを送信して格納させることができない。そこで、アクセス可能なフォルダを有するコンピュータを特定して強調表示することにより、画像データの格納が可能なコンピュータをユーザに指定させることができる。
【００１３】
本発明に係る画像読取装置では、受付部が、コンピュータからＷｅｂアクセスを受け付け、記憶部が、受付部によってＷｅｂアクセスが受け付けられたコンピュータの識別情報を記憶することが好ましい。
【００１４】
この構成によれば、ユーザが自分のコンピュータから画像読取装置にＷｅｂアクセスした場合、ユーザのコンピュータの識別情報が記憶される。このため、画像データの送信先のコンピュータを指定するユーザが、過去にＷｅｂアクセスをしたことがあれば、ユーザのコンピュータを強調して表示することができる。
【００１５】
本発明に係る画像読取装置では、更に、コンピュータから送信されたプリント要求に応じて印刷を実行する印刷部を備え、受付部が、コンピュータからのアクセスとして、プリント要求を受け付け、記憶部が、受付部によってプリント要求が受け付けられたコンピュータの識別情報を記憶することが好ましい。
【００１６】
この構成によれば、ユーザが自分のコンピュータから画像読取装置に対してプリント要求を行った場合、ユーザのコンピュータの識別情報が記憶される。このため、画像データの送信先のコンピュータを指定するユーザが、過去にプリント要求をしたことがあれば、ユーザのコンピュータを強調して表示することができる。
【発明の効果】
【００１７】
本発明によれば、ユーザが画像データの送信先を指定する際に、ネットワークに接続された複数のコンピュータの中からユーザが利用しているコンピュータを、事前登録なしに容易に指定することが可能となる。
【図面の簡単な説明】
【００１８】
【図１】実施形態に係るＭＦＰの構成及びＭＦＰが属するネットワーク構成を示すブロック図である。
【図２】ＭＦＰが備える制御部の構成を説明するための図である。
【図３】ＭＦＰが備える記憶部に記憶されたアクセス履歴情報を示す図である。
【図４】アクセス履歴情報を生成する処理の処理手順を示すフローチャートである。
【図５】コンピュータリストを表示する処理の処理手順を示すフローチャートである。
【図６】コンピュータリストの表示例を示す図である。
【図７】ユーザが特定された場合のコンピュータリストの表示例を示す図である。
【発明を実施するための形態】
【００１９】
以下、図面を参照して本発明の好適な実施形態について詳細に説明する。ここでは、実施形態に係る画像読取装置をネットワーク複合機（ＭＦＰ）に適用した場合を例にして説明する。まず、図１を参照して実施形態に係るＭＦＰ１の構成について説明する。図１は、ＭＦＰ１の構成及びＭＦＰ１が属するネットワーク構成を示すブロック図である。
【００２０】
ＭＦＰ１は、プリント、スキャン、ＦＡＸ（ファクシミリ）、及び、ＩＦＡＸ（インターネットＦＡＸ）を含む画像処理を行う複合機である。このＭＦＰ１は、ＬＡＮ（ローカルエリアネットワーク）９０を介して複数のパーソナルコンピュータ（ＰＣ）３と接続されている。
【００２１】
例えば、ＭＦＰ１は、オフィス内に置かれ、ＬＡＮ９０を介して接続された複数のＰＣ３は、オフィス内の各ユーザに割り当てられている。本実施形態では、もう一台のＭＦＰ１００がＬＡＮ９０に接続され、一部のユーザがＭＦＰ１を主に利用し、他のユーザがもう一台のＭＦＰ１００を主に利用している。例えば、ＬＡＮ９０に接続されたＰＣ３が数十台程度あり、そのうち、ＭＦＰ１を主に利用しているユーザのＰＣ３が数台程度である。
【００２２】
ユーザは、ＭＦＰ１，１００を直接操作して利用するだけでなく、自分が専ら利用しているＰＣ３を介してＭＦＰ１，１００にアクセスすることにより、ＭＦＰ１，１００を利用することができる。また、ＭＦＰ１は、スキャンｔｏフォルダ機能も有している。このスキャンｔｏフォルダ機能は、スキャン機能により生成した画像データを、ユーザが指定したＰＣ３の共有フォルダへ送信する機能である。
【００２３】
引き続いて、具体的にＭＦＰ１の構成について説明する。図１に示されるように、ＭＦＰ１は、各種の画像処理を実行するために、スキャナ１０、プリンタ１１、ＦＡＸ制御部１２、及びＩ−ＦＡＸ制御部１３を備えている。
【００２４】
スキャナ１０は、ＣＣＤ等によって構成され、原稿を光学的に読み取って画像データを生成する。このスキャナ１０は、特許請求の範囲に記載の読取部として機能する。プリンタ１１は、例えば、電子写真方式により印刷を行うプリンタであり、プリントデータを用紙に印刷する。このプリンタ１１は、ＰＣ３から送信されたプリント要求に応じて、プリントデータの印刷も行う。すなわち、プリンタ１１は、特許請求の範囲に記載の印刷部として機能する。
【００２５】
ＦＡＸ制御部１２は、ＭＦＰ１が備えるＮＣＵ（Ｎｅｔｗｏｒｋ  Ｃｏｎｔｒｏｌ  Ｕｎｉｔ）１４及びモデム１５を制御して、公衆電話回線（ＰＳＴＮ）９１を介したＦＡＸの送受信を行う。Ｉ−ＦＡＸ制御部１３は、画像データが添付された電子メールを生成し、生成した電子メールをＭＦＰ１が備えるネットワークＩ／Ｆ１６によって送信させる。これにより、Ｉ−ＦＡＸの送信が行われる。Ｉ−ＦＡＸの受信は、Ｉ−ＦＡＸ制御部１３が、ネットワークＩ／Ｆ１６によって受信された電子メールから添付された画像データを取得することにより行われる。
【００２６】
上記の各構成要素が画像処理を実行するために、ＭＦＰ１は、コーディック１７及び画像記憶部１８を有している。コーディック１７は、スキャナ１０によって生成された画像データを符号化圧縮し、符号化圧縮されている画像データを復号化する。画像記憶部１７は、コーディック１８によって符号化圧縮された画像データ、ＦＡＸデータ、Ｉ−ＦＡＸデータ、ＰＣ３から送信されたプリントデータ等を記憶する。
【００２７】
また、ＭＦＰ１は、ユーザから各種の操作を受け付けるために、操作部１９及び表示部２０を備えている。操作部１９は、ユーザから操作を受け付ける各種のキーを有している。表示部２０は、ディスプレイであり、各種の情報を表示する。
【００２８】
ＭＦＰ１は、ＰＣ３を介してＷｅｂアクセスを受け付けるために、Ｗｅｂサーバ２１を備えている。Ｗｅｂサーバ２１は、ネットワークＩ／Ｆ１６によって受け付けられたＰＣ３からのＷｅｂアクセスに応じてＨＴＴＰタスクを実行する。Ｗｅｂアクセスは、ＰＣ３にインストールされたＷｅｂブラウザからＨＴＴＰタスクの実行を要求するパケットが、ＭＦＰ１へ送信されることにより行われる。Ｗｅｂサーバ２１が、Ｗｅｂアクセスに応じてＨＴＴＰタスクを実行することにより、Ｗｅｂページの情報、ハードディスクに記憶されている画像データ等がＰＣ３に提供される。これにより、ＰＣ３のディスプレイに、Ｗｅｂページ、画像データ等が表示される。ユーザは、Ｗｅｂページを利用して、各種の設定を行うことができる。
【００２９】
ＭＦＰ１は、上記の各構成要素を統合的に制御するための制御部２２を備える。制御部２２は、物理的には、演算を行うＣＰＵ、ＣＰＵに各処理を実行させるためのプログラム等を記憶するＲＯＭ、演算結果などの各種データを一時的に記憶するＲＡＭ等により構成されている。
【００３０】
制御部２２は、ユーザによってスキャンｔｏフォルダ機能が選択された場合、表示部２０に画像データの送信先となるコンピュータの候補を出力する。これにより、表示部２０が、画像データの送信先となるコンピュータの候補を表示する。このため、表示部２０は、特許請求の範囲に記載の表示部として機能する。表示されたコンピュータの中からユーザによって送信先のコンピュータが指定された後、制御部２２は、指定されたコンピュータ内の共有フォルダに画像データが格納されるように、該コンピュータへ生成した画像データをネットワークＩ／Ｆ１６によって送信させる。すなわち、ネットワークＩ／Ｆ１６が、特許請求の範囲に記載の送信部として機能する。
【００３１】
この制御部２２の機能的な構成について、図１に加えて図２を参照して説明する。図２は、制御部２２の構成を説明するためのブロック図である。この制御部２２は、機能的な構成要素として、記憶部２３、リスト取得部２４、及び特定部２５を備える。
【００３２】
記憶部２３は、ＭＦＰ１においてＰＣ３からアクセスが受け付けられた場合、アクセスが受け付けられたＰＣ３の識別情報を記憶する。ＰＣ３から行われるＭＦＰ１に対するアクセスは、各種の要求を行うパケットを送信することにより行われる。ＰＣ３からのアクセスには、上述したＷｅｂアクセス、各種のジョブ要求等が含まれる。ジョブ要求には、プリント要求、スキャン要求、Ｉ−ＦＡＸの送信要求等が含まれる。例えば、プリント要求は、プリントデータを受信する９１００ポートを指定するＳＹＮパケットが、ＰＣ３からＭＦＰ１によって送信されることにより行われる。
【００３３】
ＰＣ３からのアクセスは、ネットワークＩ／Ｆ１６によって受け付けられる。すなわち、ネットワークＩ／Ｆ１６は、特許請求の範囲に記載の受付部として機能する。これらのＷｅｂアクセス、プリント要求等のアクセスの際に送信されるパケットには、送信元のＰＣ３を識別するＩＰアドレスが含まれている。記憶部２３は、このＩＰアドレスをコンピュータの識別情報として記憶する。
【００３４】
また、ユーザが、ＭＦＰ１にログインしてからアクセスを行う場合がある。この場合、ユーザは、ログインするために、ユーザを識別するユーザＩＤとパスワードをＰＣ３からＭＦＰ１に入力し、その後、Ｗｅｂアクセス、プリント要求等のアクセスを行う。このように、ユーザがログインしてからアクセスを行った場合、ネットワークＩ／Ｆ１６は、ＰＣ３からアクセスの操作を行ったユーザのユーザＩＤを取得している。この場合、記憶部２３は、ＰＣ３の識別情報（ＩＰアドレス）と関連付けてユーザＩＤを記憶する。このユーザＩＤは、特許請求の範囲に記載のユーザ情報に相当する。
【００３５】
ここでは、記憶部２３によって記憶されたＩＰアドレスとユーザＩＤとを含む情報をアクセス履歴情報という。図３は、記憶部２３に記憶されたアクセス履歴情報を示す図である。図３に示す例では、アクセス履歴情報として、ＭＦＰ１にアクセスした３台のＰＣ３のＩＰアドレス「１１１．１１１．１１．１１１」「２２２．２２２．２２．２２２」「３３３．３３３．３３．３３３」が記憶されている。また、ＩＰアドレス「１１１．１１１．１１．１１１」と関連付けて、ユーザＩＤ「ユーザＡ」が記憶されている。
【００３６】
リスト取得部２４は、ユーザによってスキャンｔｏフォルダ機能が選択された後、ネットワークを介して接続された複数のコンピュータのリストを取得する。本実施形態では、リスト取得部２４は、ＬＡＮ９０に接続された全てのコンピュータのリストを取得する。リスト取得部２４は、このリストとして、各ＰＣ３のＩＰアドレスと、そのコンピュータ名のリストを取得する。なお、リスト取得部２４は、特許請求の範囲に記載の取得部として機能する。
【００３７】
特定部２５は、リスト取得部２４によって取得されたリストに含まれるＩＰアドレスのうち、記憶部２３に記憶されたＩＰアドレスを特定する。そして、特定部２５は、記憶されたＩＰアドレスにより識別されたＰＣ３のうち、共有フォルダを有するＰＣ３のコンピュータ名を特定する。特定部２５は、例えば、ＣＩＦＳ（Ｃｏｍｍｏｎ  Ｉｎｔｅｒｎｅｔ  Ｆｉｌｅ  Ｓｙｓｔｅｍ）プロトコルを利用して、各ＰＣ３にアクセスし、共有フォルダを有しているか否かを確認する。共有フォルダは、ＭＦＰ１によるＬＡＮ３を介したアクセスが許可されたフォルダであり、画像データをＭＦＰ１からの操作により格納させることが可能なフォルダである。
【００３８】
また、ユーザがログインしてからスキャンｔｏフォルダ機能を選択した場合、スキャンｔｏフォルダ機能を選択したユーザのユーザ情報がＭＦＰ１によって取得されている。すなわち、画像データの送信先となるコンピュータを指定するユーザのユーザ情報が取得されている。この場合、特定部２５は、スキャンｔｏフォルダ機能を選択したユーザのユーザ情報と関連付けてＩＰアドレスが記憶部２３に記憶されていれば、該ＩＰアドレスによって識別されたコンピュータが共有フォルダを有しているか確認する。共有フォルダを有している場合、特定部２５は、該コンピュータのコンピュータ名を特定する。なお、特定部２５は、特許請求の範囲に記載の特定部として機能する。
【００３９】
特定部２５は、画像データの送信先の候補となるコンピュータリストとして、リスト取得部２４によって取得されたリストに含まれるコンピュータ名を表示部２０へ出力する。この際、特定部２５は、上記の特定したコンピュータ名が強調して表示されるようにコンピュータリストを出力する。表示部２０は、特定されたコンピュータ名が、ネットワークに接続された他のコンピュータより強調されるように表示する。
【００４０】
例えば、表示部２０は、特定されたコンピュータ名をリストの上位に配置する。また、表示部２０は、特定されたコンピュータ名を他のコンピュータとは異なる色で表示してもよいし、より大きな文字で表示してもよいし、より太い文字で表示してもよい。いずれかの方法により、表示部２０は、特定したコンピュータ名が、他のコンピュータ名より目立つように表示する。なお、表示部２０は、特定したコンピュータ名のみを表示してもよい。表示されたコンピュータの中からユーザによって送信先のコンピュータが指定された後、指定されたコンピュータ内の共有フォルダに格納されるように、画像データが送信される。
【００４１】
引き続いて、ＭＦＰ１の動作について説明する。まず、図４を参照して、アクセス履歴情報を生成する処理について説明する。図４は、アクセス履歴情報を生成する処理の処理手順を示すフローチャートである。本処理は、ＰＣ３からのアクセスがあった際に実行される。
【００４２】
まず、ステップＳ１０１では、ＰＣ３からのアクセスが、ネットワークＩ／Ｆ１６によって受け付けられる。ステップＳ１０２では、ユーザＩＤが取得されているか否かが、制御部２２によって判断される。ユーザＩＤが取得されていない場合は、処理がステップＳ１０３へ進む。一方、ユーザがログインした状態でアクセスを行った場合は、ユーザＩＤが取得されているので、処理がステップＳ１０４へ進む。
【００４３】
ステップＳ１０３では、アクセスを行ったＰＣ３のＩＰアドレスがアクセス履歴情報として、記憶部２３によって記憶される。なお、既に、同じＰＣ３のＩＰアドレスが記憶されている場合は、記憶せず、重複したＩＰアドレスが記憶されないように制御する。ステップＳ１０４では、アクセスしたコンピュータのＩＰアドレスとアクセスしたユーザのユーザＩＤとが、関連付けて、アクセス履歴情報として記憶される。その後、処理が終了する。以上の処理により、ＰＣ３からのアクセスがあった際に、アクセス履歴情報が記憶部２３によって記憶される。
【００４４】
次に、図５を参照して、画像データの送付先の候補となるコンピュータリストを表示する処理の処理手順を示すフローチャートである。図５は、コンピュータリストを表示する処理の処理手順を示すフローチャートである。本処理は、ユーザからスキャンｔｏフォルダ機能の選択が受け付けられた際に実行される。
【００４５】
まず、ステップＳ２０１では、ユーザからスキャンｔｏフォルダ機能の選択が受け付けられる。ステップＳ２０２では、ＬＡＮ９０に接続されたＰＣ３のリストが、リスト取得部２４によって取得される。続くステップＳ２０３では、ユーザＩＤが取得されているか否かが判断される。ユーザＩＤが取得されていない場合は、処理がステップＳ２０７へ進む。ユーザがログインした状態でスキャンｔｏフォルダ機能を選択した場合は、ユーザＩＤが取得されているので、処理がステップＳ２０４へ進む。
【００４６】
ステップＳ２０４では、アクセス履歴情報に、取得されたユーザＩＤと関連付けてＩＰアドレスが記憶されているか否かが判断される。記憶されていない場合は、処理がステップＳ２０７へ進む。記憶されている場合は、処理がステップＳ２０５へ進む。
【００４７】
ステップＳ２０５では、取得されたユーザＩＤと関連付けられたＩＰアドレスのＰＣ３に共有フォルダがあるか否かが判断される。共有フォルダを有していない場合は、ステップＳ２０７へ処理が進む。共有フォルダを有している場合は、ステップＳ２０６へ処理が進む。ステップＳ２０６では、ユーザＩＤと関連付けてＩＰアドレスが記憶されたＰＣ３のコンピュータ名が特定され、該コンピュータ名を強調してコンピュータリストが表示される。
【００４８】
ステップＳ２０７では、アクセス履歴情報に記憶された各ＩＰアドレスのＰＣ３について、共有フォルダがあるか否かが確認される。続くステップＳ２０８では、ＬＡＮ９０に接続されたコンピュータの中からＩＰアドレスがアクセス履歴情報に記憶され、かつ、共有フォルダを有しているＰＣ３のコンピュータ名が特定される。そして、ステップＳ２０９では、特定されたコンピュータ名を強調してコンピュータリストが表示される。
【００４９】
例えば、図３に示すアクセス履歴情報が記憶され、ＩＰアドレス「１１１．１１１．１１．１１１」のコンピュータ名が「ＰＣ００５」、ＩＰアドレス「２２２．２２２．２２．２２２」のコンピュータ名が「ＰＣ０１０」、ＩＰアドレス「３３３．３３３．３３．３３３」のコンピュータ名が「ＰＣ０１５」である場合、図６に示されるように、「ＰＣ００５」「ＰＣ０１０」「ＰＣ０１５」が上位に表示される。すなわち、ＬＡＮ９０に接続された数十台のＰＣ３のうち、ＭＦＰ１を利用している数人のユーザのＰＣ３が上位に表示される。
【００５０】
また、「ユーザＡ」がログインした状態でスキャンｔｏフォルダ機能を選択した場合、図７に示されるように、ユーザＡのＰＣ３のコンピュータ名「ＰＣ００５」が上位に表示される。図６，図７に示されるように、上位にユーザのコンピュータ名を表示することにより、ユーザが、自分のコンピュータを指定し易くなる。また、下位に連なるコンピュータ名を表示するために画面をスクロールする手間を省くこともできる。
【００５１】
以上説明した本実施形態に係るＭＦＰ１によれば、ＰＣ３からＷｅｂアクセス又はプリント要求等のアクセスが受け付けられた場合、アクセスしたＰＣ３のＩＰアドレスが記憶される。これにより、ＬＡＮ９０を介して接続された複数のＰＣ３の中から、実際に自機を利用しているユーザのＰＣ３を自動的に記憶することができる。そして、画像データの送信先となるＰＣ３の候補が表示される際には、ＬＡＮ９０に接続された複数のＰＣ３のうち、記憶されたＩＰアドレスのＰＣ３が強調して表示される。このため、ユーザは、自分の利用しているＰＣ３から画像読取装置にアクセスすれば、自分のＰＣ３が自動的に記憶され、画像データの送信先となるＰＣ３を指定する際には、自分のＰＣ３が強調して表示される。従って、ユーザが画像データの送信先を指定する際に、ネットワークに接続された複数のコンピュータの中からユーザが利用しているコンピュータを、事前登録なしに容易に指定することが可能となる。
【００５２】
また、ＭＦＰ１では、ログインした状態で自機にアクセスした場合、ユーザＩＤとＰＣ３のＩＰアドレスが記憶される。その後は、ログインした状態でスキャンｔｏフォルダ機能を利用する際に、ユーザのＰＣ３が強調して表示される。この場合、コンピュータを指定するユーザのコンピュータのみが強調して表示されるので、より容易に指定することが可能となる。
【００５３】
更に、ＭＦＰ１では、アクセス可能な共有フォルダを有するＰＣ３を特定して強調表示することにより、画像データの格納が可能なコンピュータをユーザに指定させることができる。
【００５４】
以上、本発明の実施の形態について説明したが、本発明は、上記実施形態に限定されるものではなく種々の変形が可能である。上記実施形態では、ＭＦＰ１がＦＡＸ機能及びＩ−ＦＡＸ機能、プリンタ機能等を有することしたが、スキャン機能及びネットワーク機能を有していれば、これらの機能を有していなくてもよい。
【符号の説明】
【００５５】
１  ＭＦＰ
１０  スキャナ
１１  プリンタ
１６  ネットワークＩ／Ｆ
２０  表示部
２２  制御部
２３  記憶部
２４  リスト取得部
２５  特定部
【図１】
2012156787.tif 000003
【図２】
2012156787.tif 000004
【図３】
2012156787.tif 000005
【図４】
2012156787.tif 000006
【図５】
2012156787.tif 000007
【図６】
2012156787.tif 000008
【図７】
2012156787.tif 000009